(57)【特許請求の範囲】
【請求項１】
樹脂製のパネル体と樹脂製の取付座体と取付金具とを備え、取付座体は、取付金具を固定するベース部と、正面視略円形をなすと共にくびれ部を有し且つベース部よりも小さい呑込部を有し、パネル体がくびれ部に食い込んで呑込部を呑み込むように一体成形してあることを特徴とする看板。
【発明の詳細な説明】
【技術分野】
【０００１】
本発明は、照明を有する看板に関するものである。
【背景技術】
【０００２】
コンビニエンスストア等の店舗看板は、光源や反射板を内蔵する樹脂成形によるパネル体と、パネル体と一体成形される取付座体と、取付座体と躯体壁部のそれぞれに取り付ける取付金具とからなっている。
【先行技術文献】
【特許文献】
【０００３】
特開２０００−１８１３８８号公報
【発明の概要】
【発明が解決しようとする課題】
【０００４】
上記のような看板は、一体成形により取付座体のパネル体に呑み込まれる呑込部が正面視略矩形状をなすものであったことから、その矩形の角部がパネル体と当接するため、パネル体の荷重や風圧等の要因で呑込部の呑み込まれる部分に応力が集中すると破損しやすく、看板の耐久性に問題があった。本発明は、上記課題を鑑みてなされたものであり、パネル体の耐久性を向上させることのできる看板を提供することにある。
【課題を解決するための手段】
【０００５】
本発明は、樹脂製のパネル体と樹脂製の取付座体と取付金具とを備え、取付座体は、取付金具を固定するベース部と、正面視略円形をなすと共にくびれ部を有し且つベース部よりも小さい呑込部を有し、パネル体がくびれ部に食い込んで呑込部を呑み込むように一体成形してあることを特徴とする。
【発明の効果】
【０００６】
本発明によれば、取付座体の呑込部が正面視略円形をなすことにより、パネル体の呑み込み部分との当接箇所が丸みを帯びた部分で当たるので応力が分散し、樹脂製のパネル体に大きな負荷を加えない構造となる。さらに、取付座体のベース部よりも呑込部が小さく形成してあるので、パネル体への呑込部の食い込みが少なくなり、したがって、インサート成形したときにパネル体の引き延ばしが大きくないのでの耐久性が損なわれない。
【図面の簡単な説明】
【０００７】
【図１】本実施による看板を示す（ａ）は、図２中Ｂを拡大し、本実施による看板の取付座体と面板との取付状態を示す一部を拡大した斜視図であり、（ｂ）は、（ａ）中Ａ−Ａ線断面図である。
【図２】本実施による看板を示す（ａ）は、（ｂ）中Ｃ−Ｃ線縦断面図であり、（ｂ）は、斜視図である。
【図３】本実施による看板の施工手順を示す（ａ）は、パネル体の背面図であり、（ｂ）〜（ｅ）は、パネル体を躯体壁部に取り付ける手順を示すものである。
【図４】本発明の他の実施形態を示す（ａ）は、側面図であり、（ｂ）は、背面図であり、（ｃ）は、平面図である。
【図５】（ａ）は、図４（ａ）中Ｄを拡大して示す縦断面図であり、（ｂ）は、図４（ａ）中Ｆを拡大して示す縦断面図であり、（ｃ）は、図４（ａ）中Ｅを拡大して示す縦断面図である。
【図６】（ａ）〜（ｄ）は、図４のコーナー部の看板の実施形態の施工手順を示す説明図である。
【発明を実施するための形態】
【０００８】
以下に、図面に基づいて本実施による看板の実施の形態を説明する。
本実施による看板は、図１（ａ）（ｂ）と図２（ａ）（ｂ）のように、躯体壁部１０の正面に取り付けてあり、パネル体１と、パネル体側取付金具（取付金具）２ａ，２ｂと、躯体側取付金具（取付金具）３ａ，３ｂと、取付座体４と、ＬＥＤ６と、反射板７と、基板８からなっており、樹脂で成形されている。パネル体１は、図２（ａ）を参照すれば、表示面となる横長略矩形状をなす前面パネル１ａと、後面パネル１ｂとからなっている。前面パネル１ａは、外側に向けて凸状に湾曲しており、後面パネル１ｂの上下端部は、後述するが取付座体４の呑込部４ｂを呑み込んでいる。取付座体４は、パネル体１の後面パネル１ｂの複数箇所にそれぞれ設けてあり、ベース部４ａと呑込部４ｂとからなっており、ベース部４ａは、矩形ブロック状をなし、躯体壁部１０側にパネル体側取付金具２ａ，２ｂのパネル体側取付部１６を取り付ける溝状をなす被取付部５を有しており、樹脂製である。呑込部４ｂは、正面視して略円形状をなすとともに側面視しても角のない形状をなし、ベース部４ａの外側に一体的に取り付けてあり、呑込部４ｂとベース部４ａとの間にはくびれ部２５を有しており、このくびれ部２５に後面パネル１ｂが食い込むとともにパネル体１に呑み込まれる。また、呑込部４ｂの径の寸法は、ベース部４ａの縦寸法及び幅寸法よりも小さく形成してある。パネル体側取付金具２ａ，２ｂは、上側の取付座体４と下側の取付座体４にそれぞれ取り付けてあり、パネル体１の幅寸法と略一致する長さを有するレール状をなしており、取付座体４の被取付部５に取り付けるパネル体側取付部１６を有するとともに、躯体側取付金具３ａ，３ｂに取り付ける躯体側取付部１７をそれぞれ有している。躯体側取付金具３ａ，３ｂは、躯体壁部１０にネジで固定してあり、躯体側取付部１７を取り付ける躯体側被取付部１８を有している。また、本実施のもの（パネル体１上側に位置するもの）では、パネル体側取付部１６が上下に突出する突出片を有しており、その上下の各突出片を溝状の被取付部５にスライド式に挿入して取り付けてある。さらに、躯体側取付部１７は、上側の躯体側取付金具３ａの躯体側被取付部１８に載置するとともに、パネル体１の荷重で躯体側被取付部１８が支点となって躯体側取付部１７の先端部が持ち上がって上側の躯体側取付金具３ａに下方から当接する。これにより、上側のパネル体側取付金具２ａと上側の躯体側取付金具３ａを取り付けている。ＬＥＤ６は、電線９に沿って数珠つなぎに複数連結してあり、基板８の外面側に沿わせて略全面に行き渡るように均等に配置してある。反射板７は、各ＬＥＤ６の四周を囲むように設けてあり、ＬＥＤ６の発光をパネル体１の全体に拡散する。
【０００９】
パネル体１と取付座体４の取付構造については、図１（ａ）（ｂ）のように、取付座体４のくびれ部２５に後面パネル１ｂが食い込むとともに、呑込部４ｂがパネル体１の後面パネル１ｂに呑み込まれる状態で取り付けてある。さらに、パネル体１の後面パネル１ｂと呑込部４ｂの呑み込みの状態については、パネル体１と一緒に取付座体４の呑込部４ｂをインサート成形することで取り付けてある。これにより、楕円球状をなす呑込部４ｂの後面パネル１ｂとの当接面に角がない状態で丸みを帯びるものであるから、その丸みを帯びた部位で後面パネル１ｂと当接することにより、パネル体１の荷重等で取付座体４の呑込部４ｂを呑み込む箇所１５への応力の集中を分散し、パネル体１の耐久性を向上させる。さらに、取付座体４のベース部４ａよりも呑込部４ｂが小さく形成してあるので、パネル体１をインサート成形したときに、パネル体１への呑込部４ｂの食い込みが少なくなるので、パネル体１の前面パネル１ａと後面パネル１ｂが大きく引き延ばされないことから後面パネル１ｂの肉厚が薄くならず、これにより、パネル体１の耐久性が保たれる。
【００１０】
上記のように構成する看板の施工手順は、第一の手順として図３（ａ）のように、パネル体１に取り付けてある取付座体４の被取付部５に、パネル体側取付金具２ａ，２ｂのパネル体側取付部１６を取り付ける。第二の手順として図３（ｂ）（ｃ）のように、パネル体１の後面パネル１ｂ上側に取り付けてあるパネル体側取付金具２ａを、躯体壁部１０に取り付けてある躯体側取付金具３ａに載置し、さらに、躯体側取付金具３ａを支点にパネル体１を水平軸回転で下方に回動する。第三の手順として図３（ｄ）（ｅ）のように、前述した第二の手順で下方に回動したパネル体１の下側に取り付けてあるパネル体側取付金具２ｂを、これに対応する躯体壁部１０下側の躯体側取付金具３ｂに取り付ける。このとき、下側のパネル体側取付金具２ｂについては、パネル体側取付金具２ｂから躯体側に突出する上側係止片１３と下側係止片１４が躯体側取付金具３ｂに当接するとともに、躯体側取付金具３ｂに係止し、その係止状態が保持されることで看板の躯体壁部１０への取り付けが完了する。
【００１１】
本発明の他の実施形態として、図４（ｃ）のように、躯体壁部１０のコーナー部に取り付けられる看板である。その看板を構成するパネル体２１は、図４（ａ）（ｂ）のように、躯体壁部１０の正面側に設置される上記実施形態の看板と同じく、パネル体２１と、取付座体２４と、パネル体側取付金具２２ａ，２２ｂと、躯体側取付金具２３ａ，２３ｂとからなっているが、それぞれの形状が異なっている。パネル体２１は、前面パネル２１ａと側面パネル２１ｃと後面パネル２１ｂとからなっており、躯体壁部１０のコーナー部に対応して後面パネル２１ｂの両側の側面パネル２１ｃが傾斜面となっており、側面パネル２１ｃは、躯体壁部１０の正面に設置される看板のパネル体１と左右に隣接してある。パネル体側取付金具２２ａ，２２ｂは、図５（ａ）〜（ｃ）のように、略垂直に伸びる差込片３４と、差込片３４の一端側から略水平に伸びる取付片３５とから略Ｌ字型をなすものであり、差込片３４と取付片３５のそれぞれにネジ孔２７ａ，２７ｂが設けてある。躯体側取付金具２３ａ，２３ｂは、図４（ｃ）と図５（ａ）〜（ｃ）のように、躯体壁部１０の正面に設置してある看板の基板８のコーナー部側の端部に取り付けてあり、その上端と下端は、外側に突出するとともに上下に挿通するネジ孔２８ａ，２８ｂ（図６（ａ）〜（ｃ）参照）が設けてある。取付座体２４は、上記の躯体壁部１０の正面側に設置する看板と同じく、インサート成形によりパネル体２１と一体的に取り付けてあり、ベース部２４ａと呑込部２４ｂとからなっている（図５（ａ）（ｃ）参照）。また、躯体壁部１０の正面側に設置する看板の取付座体４とはベース部２４ａの構成が相違しており、そのベース部２４ａは、図５（ｂ）のように、略矩形ブロック状をなしており、中央に上下方向に挿通する挿通孔２９が設けてあるとともに、挿通孔２９の背面側の壁部には切欠部３０が設けてある。また、本実施形態では、ＬＥＤ６の数を削減するために、コーナー部の看板の後ろにＬＥＤ６を設けず、正面の看板の後ろのＬＥＤ６の光で前面パネル２１ａを発光させている。通常、コーナー部の後ろのＬＥＤ６を削減し、正面の看板のＬＥＤ６のみでパネル体２１を発光させると、内部装置などの影が入り込んで発光斑が発生するが、本実施のものでは、パネル体２１の側面パネル２１ｃは、半透明になっており、隣接する正面の看板から射し込むＬＥＤ６の光を側面パネル２１ｃの半透明で拡散することにより、コーナー部のパネル体２１の前面パネル２１ａに内部装置等の影が映り込まず、発光斑が発生しない構造となっている。
【００１２】
上記のように構成する看板の施工手順は、第一の手順として図６（ａ）（ｂ）のように、パネル体２１に取り付けてある取付座体２４のベース部２４ａの挿通孔２９に、パネル体側取付金具２２ａの差込片３４を挿し込み、ベース部２４ａの切欠部３０にネジ３１を入れて差込片３４のネジ孔２７ａにネジ止めし、取付座体２４とパネル体側取付金具２２ａ，２２ｂを固定する。このときに、下側のパネル体側取付金具２２ｂの取付片３５のネジ孔２７ｂに上方からネジ３２をネジ込むとともに、上側の躯体側取付金具２３ａのネジ孔２８ａに下方からネジ３２をネジ込む。第二の手順として図６（ｃ）のように、パネル体２１の上側に取り付けてあるパネル体側取付金具２２ａの取付片３５のネジ孔２７ｂにネジ３２を挿通させながら、パネル体側取付金具２２ａの取付片３５を躯体側取付金具２３ａに載置し、さらに、ネジ３２にナット３３をかけて固定する。また、図６（ｄ）のように、パネル体２１の下側のパネル体側取付金具２２ｂの取付片３５にネジ込んだネジ３２を下側の躯体側取付金具２３ｂのネジ孔２８ｂに挿通させながら、パネル体側取付金具２２ｂを躯体側取付金具２３ｂに載置し、さらに、ネジ３２にナット３３をかけて固定することにより、看板の躯体壁部１０への取り付けが完了する。
【００１３】
上記各実施形態では、本発明の看板を躯体壁部１０に取り付けるものを挙げたが、支柱や横桟に取り付けるものでもよい。また、パネル体１，２１の形状や大きさについても上記実施形態のものに限らず、様々なものに対応できる。
【符号の説明】
【００１４】
１，２１  パネル体
２ａ，２２ａ  上側のパネル体側取付金具（取付金具）
２ｂ，２２ｂ  下側のパネル体側取付金具（取付金具）
３ａ，２３ａ  上側の躯体側取付金具（取付金具）  
３ｂ，２３ｂ  下側の躯体側取付金具（取付金具）
４，２４  取付座体
４ａ，２４ａ  ベース部
４ｂ，２４ｂ  呑込部
２５  くびれ部
【図１】
0005793435.tif 000002
【図２】
0005793435.tif 000003
【図３】
0005793435.tif 000004
【図４】
0005793435.tif 000005
【図５】
0005793435.tif 000006
【図６】
0005793435.tif 000007